(57)【要約】【課題】  レンズユニットを交換可能な撮像装置において、電子シャッターとメカシャッターとを併用して撮影を行う場合に、露光ムラの低減された画像を撮影すること。【解決手段】  複数のレンズユニットを交換して装着が可能な撮像装置であって、装着されたレンズユニットから、少なくとも該レンズユニットの射出瞳距離を含むレンズ情報を取得する取得手段（１１３、１２１）と、入射する光を光量に応じた電荷に変換する複数の画素から成る撮像素子（１０４）と、前記撮像素子を遮光するための幕を有するシャッター手段（１０５）と、前記幕による前記撮像素子の遮光の開始に先だって、前記幕の走行方向に前記撮像素子の画素を順次リセットするリセット手段（１０７、１０８）と、前記取得したレンズ情報に基づいて、前記画素をリセットするタイミングを制御する制御手段（１１３）とを有し、前記レンズ情報を取得できなかった場合に、撮影を禁止する。【選択図】  図１
2008294753.tif 000002
【特許請求の範囲】
【請求項１】
複数のレンズユニットを交換して装着が可能な撮像装置であって、
装着されたレンズユニットから、少なくとも該レンズユニットの射出瞳距離を含むレンズ情報を取得する取得手段と、
入射する光を光量に応じた電荷に変換する複数の画素から成る撮像素子と、
前記撮像素子を遮光するための幕を有するシャッター手段と、
前記幕による前記撮像素子の遮光の開始に先だって、前記幕の走行方向に前記撮像素子の画素を順次リセットするリセット手段と、
前記取得手段により取得したレンズ情報に基づいて、前記リセット手段により前記画素をリセットするタイミングを制御する制御手段とを有し、
前記取得手段により前記レンズ情報を取得できなかった場合に、撮影を禁止することを特徴とする撮像装置。
【請求項２】
複数のレンズユニットを交換して装着が可能な撮像装置であって、
装着されたレンズユニットから、少なくとも該レンズユニットの射出瞳距離を含むレンズ情報を取得する取得手段と、
入射する光を光量に応じた電荷に変換する複数の画素から成る撮像素子と、
前記撮像素子を遮光するための幕を有するシャッター手段と、
前記幕による前記撮像素子の遮光の開始に先だって、前記幕の走行方向に前記撮像素子の画素を順次リセットするリセット手段と、
前記取得手段により前記レンズ情報が取得できなかった場合に、前記リセット手段によりリセットされてから、前記シャッター手段の幕の走行により前記レンズユニットを介して入射する光から遮光されるまでの時間が、前記撮像素子の各画素間で等しくなるように、前記画素をリセットするタイミングを算出する算出手段と、
前記取得手段により前記レンズ情報を取得した場合には該取得したレンズ情報に基づいて、前記レンズ情報を取得できなかった場合には前記算出手段により算出されたタイミングに基づいて、前記リセット手段により前記画素をリセットするタイミングを制御する制御手段と
を有することを特徴とする撮像装置。
【請求項３】
前記レンズ情報を取得できなかった場合に、前記算出手段による前記タイミングの算出を行う指示を受け付けるための操作手段を更に有し、
前記算出手段は、前記操作手段により算出の指示を受けた場合に、前記タイミングの算出を行うことを特徴とする請求項２に記載の撮像装置。
【請求項４】
前記操作手段により前記タイミングの算出が指示されない場合に、撮影を禁止することを特徴とする請求項３に記載の撮像装置。
【請求項５】
前記制御手段は、前記取得手段により取得したレンズ情報に基づいて、前記画素が前記リセット手段によりリセットされてから、前記シャッター手段の幕の走行により前記レンズユニットを介して入射する光から遮光されるまでの時間が各画素間で等しくなるように、前記リセット手段により前記画素をリセットするタイミングを制御することを特徴とする請求項１乃至４のいずれか１項に記載の撮像装置。
【請求項６】
前記画素をリセットするタイミングを示す複数のパターンを保持するパターン保持手段を更に有し、
前記制御手段は、前記レンズ情報に基づいて、前記パターン保持手段に保持された複数のパターンから１つを選択することを特徴とする請求項１乃至５のいずれか１項に記載の撮像装置。
【請求項７】
前記レンズ情報を取得でき、焦点距離が短く、射出瞳距離が短いと分かっている場合に、前記制御手段は、撮像面の中央より上部の撮像面における露光時間を、該撮像面の中央より下部の撮像面における露光時間よりも長くすることを特徴とする請求項１、２、５、６のいずれか１項に記載の撮像装置。
【請求項８】
複数のレンズユニットを交換して装着が可能であって、入射する光を光量に応じた電荷に変換する複数の画素から成る撮像素子と、前記撮像素子を遮光するための幕を有するシャッター手段とを有する撮像装置の制御方法であって、
装着されたレンズユニットから、少なくとも該レンズユニットの射出瞳距離を含むレンズ情報を取得する取得工程と、
前記幕の走行方向に、前記撮像素子の画素を順次リセットするリセット工程と、
前記幕を走行して前記画素を順次遮光する幕走行工程と、
前記リセット工程に先だって、前記取得工程で取得した前記レンズ情報に基づいて、前記リセット工程で前記画素をリセットするタイミングを決定する決定工程と、
前記取得工程で前記レンズ情報を取得できなかった場合に、撮影を禁止する禁止工程とを有し、
前記リセット工程では、前記決定工程で決定されたタイミングに基づいて、前記リセットを行うことを特徴とする制御方法。
【請求項９】
複数のレンズユニットを交換して装着が可能であって、入射する光を光量に応じた電荷に変換する複数の画素から成る撮像素子と、前記撮像素子を遮光するための幕を有するシャッター手段とを有する撮像装置の制御方法であって、
装着されたレンズユニットから、少なくとも該レンズユニットの射出瞳距離を含むレンズ情報を取得する取得工程と、
前記幕の走行方向に、前記撮像素子の画素を順次リセットするリセット工程と、
前記幕を走行して前記画素を順次遮光する幕走行工程と、
前記取得工程で前記レンズ情報が取得できなかった場合に、前記画素を前記リセット工程でリセットしてから、前記幕の走行により前記レンズユニットを介して入射する光から前記画素が遮光されるまでの時間が、各画素間で等しくなるように、前記画素をリセットするタイミングを算出する算出工程と、
前記取得工程で前記レンズ情報を取得した場合には該取得したレンズ情報に基づいて、前記レンズ情報を取得できなかった場合には前記算出工程で算出したタイミングに基づいて、前記リセット工程で前記画素をリセットするタイミングを決定する決定工程とを有し、
前記リセット工程では、前記決定工程で決定されたタイミングに基づいて、前記リセットを行うことを特徴とする制御方法。
【発明の詳細な説明】
【技術分野】
【０００１】
本発明は、撮像装置及びその制御方法に関し、更に詳しくは、電子シャッター機能とメカニカルシャッター機能とを併用して撮像動作を行う撮像装置及びその制御方法に関する。
【背景技術】
【０００２】
一眼レフタイプのデジタルカメラには、メカニカルシャッターであるフォーカルプレンシャッター（以下、「メカシャッター」と称す。）と電子シャッターを併用して撮像動作を行うものがある。この種のシャッター機構では、メカシャッターにより後幕が構成され、後幕の走行に先行して、撮像素子の画素の電荷蓄積開始走査を行う電子シャッターを駆動することにより撮影が行われる。
【０００３】
電子シャッターを用いて撮像動作を行う場合、例えば、ＣＭＯＳセンサを用いた撮像素子では、画素毎、或いは、複数画素からなる領域毎（例えば各ライン毎）に、先ず、画素の蓄積電荷量をゼロにするリセット走査を行う。その後、リセット走査を行った画素毎或いは領域毎に、それぞれ所定の時間を経過してから信号を読み出す走査を行うことで、電子シャッターによる撮像動作を実現できる。
【０００４】
上述した電子シャッターとメカシャッターを併用して、撮像素子の露光を制御する場合、先ず、撮像素子の電荷蓄積開始走査として、メカシャッターの走行方向に、撮像素子の複数画素から成る領域毎（例えば各ライン毎）に順次リセット走査する。そして、所定時間経過後に、メカシャッターの後幕によって撮像素子を順次遮光した後、各画素に蓄積された電荷を順次読み出す読み出し走査を行う。従って、このリセット走査の走査パターンは、メカシャッターの後幕の走行特性に合わせたものとなっている（例えば、特許文献１参照）。
【０００５】
また、特許文献２には、露光開始と終了の両方を電子シャッターで制御した第１の画像と、露光開始の走査を電子シャッターで行い露光終了をメカシャッターの後幕で行った第２の画像の差分により、露光開始の走査パターンを補正する撮像装置が提案されている。
【０００６】
【特許文献１】特開平１１−４１５２３号公報
【特許文献２】特開２００６−１０１４９２号公報
【発明の開示】
【発明が解決しようとする課題】
【０００７】
一眼レフタイプのデジタルカメラは一般に撮影レンズの交換が可能であり、装着された撮影レンズにより、焦点距離や射出瞳距離（像面からレンズの射出瞳位置までの距離）は異なる。このため、上述したように電子シャッターとメカシャッターを併用するして撮像を行う撮像装置を構成した場合、以下のような問題がある。電子シャッターは撮像素子面で機能するが、メカシャッターは撮像素子面から光軸方向に少し離れた位置に配置される。従って、撮影レンズの焦点距離、射出瞳位置等により、メカシャッターによる撮像面上での遮光位置は変化する。このため、特にリセット走査されてからメカシャッターにより遮光されるまでの露光時間が短い場合に、装着された撮影レンズの焦点距離、射出瞳位置等に応じて、シャッターの走行方向に露光ムラが生じてしまう。この露光ムラは、撮影者が撮影以前に知ることができないため、撮影後の確認時に気づくという問題点がある。
【０００８】
そのため、電子シャッターとメカシャッターとを併用する撮像装置において、レンズの種類に応じて変化するシャッター走査方向の露光ムラを軽減させるために、更なる改良が必要であった。
【課題を解決するための手段】
【０００９】
上記問題点を鑑みて、複数のレンズユニットを交換して装着が可能な本発明の撮像装置は、装着されたレンズユニットから、少なくとも該レンズユニットの射出瞳距離を含むレンズ情報を取得する取得手段と、入射する光を光量に応じた電荷に変換する複数の画素から成る撮像素子と、前記撮像素子を遮光するための幕を有するシャッター手段と、前記幕による前記撮像素子の遮光の開始に先だって、前記幕の走行方向に前記撮像素子の画素を順次リセットするリセット手段と、前記取得手段により取得したレンズ情報に基づいて、前記リセット手段により前記画素をリセットするタイミングを制御する制御手段とを有し、前記取得手段により前記レンズ情報を取得できなかった場合に、撮影を禁止する。
【００１０】
また、複数のレンズユニットを交換して装着が可能であって、入射する光を光量に応じた電荷に変換する複数の画素から成る撮像素子と、前記撮像素子を遮光するための幕を有するシャッター手段とを有する撮像装置の本発明の制御方法は、装着されたレンズユニットから、少なくとも該レンズユニットの射出瞳距離を含むレンズ情報を取得する取得工程と、前記幕の走行方向に、前記撮像素子の画素を順次リセットするリセット工程と、前記幕を走行して前記画素を順次遮光する幕走行工程と、前記リセット工程に先だって、前記取得工程で取得した前記レンズ情報に基づいて、前記リセット工程で前記画素をリセットするタイミングを決定する決定工程と、前記取得工程で前記レンズ情報を取得できなかった場合に、撮影を禁止する禁止工程とを有し、前記リセット工程では、前記決定工程で決定されたタイミングに基づいて、前記リセットを行う。
【００１１】
また、別の構成によれば、複数のレンズユニットを交換して装着が可能な本発明の撮像装置は、装着されたレンズユニットから、少なくとも該レンズユニットの射出瞳距離を含むレンズ情報を取得する取得手段と、入射する光を光量に応じた電荷に変換する複数の画素から成る撮像素子と、前記撮像素子を遮光するための幕を有するシャッター手段と、前記幕による前記撮像素子の遮光の開始に先だって、前記幕の走行方向に前記撮像素子の画素を順次リセットするリセット手段と、前記取得手段により前記レンズ情報が取得できなかった場合に、前記リセット手段によりリセットされてから、前記シャッター手段の幕の走行により前記レンズユニットを介して入射する光から遮光されるまでの時間が、前記撮像素子の各画素間で等しくなるように、前記画素をリセットするタイミングを算出する算出手段と、前記取得手段により前記レンズ情報を取得した場合には該取得したレンズ情報に基づいて、前記レンズ情報を取得できなかった場合には前記算出手段により算出されたタイミングに基づいて、前記リセット手段により前記画素をリセットするタイミングを制御する制御手段とを有する。
【００１２】
また、複数のレンズユニットを交換して装着が可能であって、入射する光を光量に応じた電荷に変換する複数の画素から成る撮像素子と、前記撮像素子を遮光するための幕を有するシャッター手段とを有する撮像装置の本発明の制御方法は、装着されたレンズユニットから、少なくとも該レンズユニットの射出瞳距離を含むレンズ情報を取得する取得工程と、前記幕の走行方向に、前記撮像素子の画素を順次リセットするリセット工程と、前記幕を走行して前記画素を順次遮光する幕走行工程と、前記取得工程で前記レンズ情報が取得できなかった場合に、前記画素を前記リセット工程でリセットしてから、前記幕の走行により前記レンズユニットを介して入射する光から前記画素が遮光されるまでの時間が、各画素間で等しくなるように、前記画素をリセットするタイミングを算出する算出工程と、前記取得工程で前記レンズ情報を取得した場合には該取得したレンズ情報に基づいて、前記レンズ情報を取得できなかった場合には前記算出工程で算出したタイミングに基づいて、前記リセット工程で前記画素をリセットするタイミングを決定する決定工程とを有し、前記リセット工程では、前記決定工程で決定されたタイミングに基づいて、前記リセットを行う。
【発明の効果】
【００１３】
本発明によれば、レンズユニットを交換可能な撮像装置において、電子シャッターとメカシャッターとを併用して撮影を行う場合に、露光ムラの低減された画像を撮影することができる。
【発明を実施するための最良の形態】
【００１４】
以下、添付図面を参照して本発明を実施するための最良の形態を詳細に説明する。
【００１５】
図１は本発明の実施の形態にかかる撮像システムの構成を示すブロック図である。本実施の形態にかかる撮像システムは、撮像装置であるカメラ本体１００と、カメラ本体１００に装着される、交換可能なレンズユニット１０１とを有している。
【００１６】
先ず、レンズユニット１０１内の構成について説明する。
【００１７】
１１４は、光軸方向に移動可能な撮影レンズである。なお、図１では、撮影レンズ１１４を１つのレンズとして表しているが、実際にはフォーカスレンズやズームレンズ等、複数のレンズから構成されている。レンズＣＰＵ１１５は、レンズ駆動回路１１６及び絞り駆動回路１１７を介して、撮影レンズ１１４及び絞り１１８の駆動を制御する。レンズＣＰＵ１１５は、レンズユニット１０１側の通信接点１２０及びカメラ本体１００側の通信接点１２１を介して、後述するカメラ本体１００内のカメラＣＰＵ１１３と通信することができる。レンズＣＰＵ１１５は、この通信接点１２０及び１２１を介して、レンズユニット１０１の種類や、焦点距離、射出瞳距離、ズーム位置等をカメラＣＰＵ１１３に通知する。
【００１８】
次に、カメラ本体１００の構成について説明する。
【００１９】
撮像装置が非撮影状態（図１に示す状態）にある場合、レンズユニット１０１の撮影レンズ１１４及び絞り１１８を通過した被写体光束のうちの一部の光束は、撮影光路内に位置するミラー１０２で反射されてファインダ光学系１０３に導かれる。これにより、撮影者は、ファインダ光学系１０３を介して被写体像を観察することができる。
【００２０】
後述する不図示のレリーズ釦が押されて非撮影状態から撮影状態に移行すると、ミラー１０２は撮影光路から退避する。これにより、レンズユニット１０１からの被写体光束は、ＣＭＯＳセンサやＣＣＤなどにより構成される撮像素子１０４へ向かう。撮像素子１０４の各画素は、露光されている間、レンズユニット１０１により結像された被写体光学像を光量に応じて光電変換し、得られた電荷を蓄積する。撮像素子１０４には、パルス発生回路１０７から走査クロック（水平駆動パルス）や所定の制御パルスが供給される。パルス発生回路１０７で発生した走査クロックのうち、垂直走査用のクロックは垂直駆動変調回路１０８によって所定のクロック周波数に変調されて、撮像素子１０４に入力される。この垂直駆動変調回路１０８によって電子先幕としてのリセット走査の走査パターンが決定される。また、パルス発生回路１０７は、後述する信号処理回路１０９にもクロック信号を出力する。
【００２１】
撮像素子１０４に対して物体側（レンズ側）には、メカニカルシャッターであるフォーカルプレンシャッター（以下、「メカシャッター」と呼ぶ。）１０５が配置されている。メカシャッター１０５は、複数の遮光羽根で構成された後幕（以下、「メカ後幕」と呼ぶ。）を有し、撮像素子１０４を遮光する。カメラＣＰＵ１１３は、シャッター駆動回路１０６を介してメカシャッター１０５の駆動を制御する。
【００２２】
信号処理回路１０９は、撮像素子１０４から読み出された信号に対して所定の処理（色処理やガンマ補正等）を施すことにより画像データを生成する。生成された画像データは、画像表示回路１１０を介して表示装置１５１に出力されて撮影画像として表示されたり、画像記録回路１１１に記録されたりする。スイッチユニット１１２は、主電源のＯＮ／ＯＦＦを制御するスイッチや、撮影条件等を設定するために操作されるスイッチや、撮影準備動作および撮影動作を開始させるために操作されるスイッチ（レリーズ釦）を含む。レリーズ釦の半押し操作（スイッチＳＷ１のＯＮ）で撮影準備動作（測光動作や焦点調節動作等）が開始される。更に、全押し操作（スイッチＳＷ２のＯＮ）で撮影動作（撮像素子１０４の露光及び電荷信号の読み出し、及び電荷信号を処理して得られた画像データの記録媒体への記録）が開始される。カメラＣＰＵ１１３は、スイッチユニット１１２の操作に応じた動作を行う。走査パターン保持部１５０は、後述するような電子先幕の走査パターン（リセットラインの移動タイミング）を複数種類保持する。
【００２３】
上記構成を有する本実施の形態における撮像装置は、通常複数の遮光羽根で構成される先幕に代えて、撮像素子１０４の画素を順次リセット走査する電子シャッターによる電子先幕を採用する。そして、電子先幕とメカ後幕を用いて撮像素子１０４の露光制御を行う構成となっている。
【００２４】
図２は、撮像素子１０４およびメカ後幕をレンズ側から光軸方向に沿って観察した様子を示す正面図であり、レリーズ釦の押下により撮影が開始された後の、電子先幕のリセット走査およびメカ後幕の走行が途中にあるときの状態を示している。矢印１は、電子先幕のリセット走査の走査方向（電子先幕の走行方向）と、メカ後幕の走行方向を示す。なお、撮影レンズ１１４により撮像素子１０４の撮像面に結像した被写体像は上下が反転する。そのため、図２のように撮像面の下側から上側に向かってリセット走査を行うことで、画像上部から画像下部へリセット走査及びメカ後幕の走行が行われることになる。
【００２５】
図２において、２は撮像素子１０４の撮像面、３はメカシャッター１０５のメカ後幕であり、メカ後幕３が撮像面２の一部の領域を遮光している状態が示されている。４は、撮像素子１０４におけるリセット走査を行っているライン（リセットライン）を示す。リセット走査はリセットライン４上の画素の蓄積電荷量をゼロにするものであり、リセットライン４は電子先幕の先端に相当する。
【００２６】
リセットライン４とメカ後幕３の先端部５との間のスリットによって形成される領域６は、撮像素子１０４において露光による電荷蓄積が行われている領域（電荷蓄積領域）である。電荷蓄積領域６は電子先幕とメカ後幕３の走行に従って、矢印１の方向へ移動していくことになる。リセットライン４が通過してから、つまり画素がリセットされてから、メカ後幕３によって遮光状態となるまでの時間が、画素の露光による電荷蓄積時間となる。このように、リセットライン４が矢印１の方向へ走行して各ラインの電荷蓄積が開始されるので、電荷蓄積の開始タイミングは撮像素子１０４のライン毎に異なる。図２に示す例では、撮像面２において最も下に位置するラインで電荷蓄積動作が最も早いタイミングで行われ、最も上に位置するラインで電荷蓄積動作が最も遅いタイミングで行われる。
【００２７】
撮像面２の下部から上部へ向かうリセットライン４の移動は、垂直駆動変調回路１０８により図５の（ａ）及び（ｂ）を参照して後述するように制御される。このリセットライン４の移動パターンを「走査パターン」と称する。この走査パターンは、撮像素子１０４のライン毎にリセット走査が行われるタイミングを示したものということができる。走査パターン保持部１５０には、例えば、焦点距離や射出瞳距離などに応じて異なる走査パターンが複数保持されている。カメラＣＰＵ１１３は、装着されたレンズの焦点距離や射出瞳距離などに応じてこれらのうちの一つを選択し、選択した走査パターンに従ってリセットライン４が移動するように垂直駆動変調回路１０８を制御する。詳細は後述する。
【００２８】
図３及び図４は、撮影レンズ１１４、メカシャッター１０５及び撮像素子１０４のリセットラインの関係を示す光路図である。図３及び図４において、レンズ１１４ａは焦点距離が長く、射出瞳距離が長い状態での撮影レンズ１１４を示し、レンズ１１４ｂは焦点距離が短く、射出瞳距離が短い状態での撮影レンズ１１４を示している。また、７はシャッター地板、８はシャッター羽根押さえである。また、１１４ａ'、１１４ｂ'はそれぞれレンズ１１４ａ、１１４ｂの瞳位置（射出瞳位置）を示している。
【００２９】
図３は撮像素子１０４の露光を開始して間もない時の状態を示している。スリット幅Ａは、図２で説明した電荷蓄積領域６の内、焦点距離が長く、射出瞳距離の長いレンズ１１４ａの光束がメカ後幕３の先端部５によって遮光される撮像素子１０４上のラインと、リセットライン４とによって形成される領域の幅を示している。また、スリット幅Ｂは、電荷蓄積領域６の内、焦点距離が短く、射出瞳距離が短いレンズ１１４ｂの光束がメカ後幕３の先端部５によって遮光される撮像素子１０４上のラインと、リセットライン４とによって形成される領域の幅を示している。
【００３０】
図３に示すタイミングでは、スリット幅Ｂの方がスリット幅Ａよりも広い。つまり、撮影レンズ１１４ａ及び１１４ｂに対して、電子先幕及びメカ後幕３を同じ条件で駆動した場合、撮影レンズ１１４ｂを用いた場合の露光量は撮影レンズ１１４ａを用いた場合の露光量よりも大きくなる。従って、例えば、撮影レンズ１１４ａを用いた場合に適正露出となるスリット幅になるようにリセット走査のタイミングを制御すると、撮影レンズ１１４ｂを用いて撮影すると、露光開始間もないタイミングでは露出がオーバーになってしまうことになる。
【００３１】
一方、図４は撮影動作後半（露光終了間近）の状態を示している。スリット幅Ａ'は、撮影レンズ１１４ａの光束がメカ後幕３の先端部５によって遮光される撮像素子１０４のラインとリセットライン４とによって形成される領域の幅を示している。また、スリット幅Ｂ'は、撮影レンズ１１４ｂの光束がメカ後幕３の先端部５によって遮光される撮像素子１０４のラインとリセットライン４とによって形成される領域の幅を示している。
【００３２】
図４に示されるタイミングでは、図３に示した露光開始間もない時の状態とは逆に、スリット幅Ｂ'の方がスリット幅Ａ'よりも狭い。つまり、撮影レンズ１１４ａ及び１１４ｂに対して、電子先幕及びメカ後幕３を同じ条件で駆動した場合、撮影レンズ１１４ａを用いた場合の露光量は撮影レンズ１１４ｂを用いた場合の露光量より大きくなる。従って、リセットライン４とメカ後幕３により構成されるスリット幅が、露光開始間もない時と同じスリット幅であったとすると、露光終了間近では、撮影レンズ１１４ａを用いて撮影した場合に露出がオーバーになってしまう。
【００３３】
このように、リセットライン４とメカ後幕３により構成されるスリット幅が常に一定になるようにリセットラインの走査速度及びメカ後幕３の走行速度を調整すると、画像の上部と下部とで露光ムラ（所謂、上下方向の露光ムラ）が発生してしまうのである。
【００３４】
図５（ａ）、（ｂ）は、シャッター制御における電子先幕のリセット走査の走査パターンとメカ後幕の走行パターンとの関係を示す図であり、横軸は時間、縦軸は撮像素子１０４上の下から上への距離（位置）を表している。図５（ａ）において、１２はメカ後幕３の走行曲線を表し、走行開始から徐々に速度が上がる状態を表している。１１は電子先幕のリセットライン４の走査曲線を表す。走査曲線１１と走行曲線１２の時間方向の距離が撮像素子１０４の各ラインの露光時間を表す。図５（ａ）では、撮像素子１０４の下から上に亘って、ほぼ同じ露光時間となっている。撮影レンズ１１４の焦点距離と射出瞳距離が十分長いとき（例えば５００ｍｍ以上のとき）は、メカ後幕３の走行曲線とほぼ同じ形状の走査曲線を用いてリセットライン４の走査を制御することで、適正な露光を得ることができる。
【００３５】
しかし、前述したように、撮影レンズの焦点距離が短く、射出瞳距離が短い場合には、射出瞳距離が長い撮影レンズを用いた場合に比べて、レンズを通過した光線の撮像素子１０４への入射角度が、光軸に対して大きな角度となる。そのため、図５（ａ）に示すような制御では、撮像素子１０４の撮像面下部（＝画像の中央より上部）において露出がオーバーとなり、撮像面上部（＝画像の中央より下部）において露出がアンダーとなる。そのため、撮像面下部で露光時間を短くし、撮像面上部で露光時間を長くする。このようにすることで、撮像素子１０４の画素がリセット走査されてから、撮像レンズを介して入射した光から画素が実際にメカ後幕３により遮光されるまでの時間が各画素間で等しくなるように、電子先幕の走査曲線を調整する。例えば、図５（ｂ）に示すように走査曲線１１を１１'に示す走査曲線に補正することが必要となる。
【００３６】
以上のような補正処理の推奨表示および撮影動作禁止表示の制御について、図６のフローチャートを参照して、撮像動作に沿って説明する。なお、図６に示す処理はカメラＣＰＵ１１３が主体となって実行される。
【００３７】
スイッチユニット１１２内の主電源ＳＷがＯＮになると、処理はステップＳ１０１からステップＳ１０２へ進む。ステップＳ１０２において、カメラＣＰＵ１１３は通信接点１２１、１２０を介して、装着されたレンズユニット１０１の焦点距離や射出瞳距離等のレンズ情報をレンズＣＰＵ１１５から取得するように制御する。装着されたレンズユニット１０１がカメラ本体１００と通信可能であり、且つ、レンズ情報を保有している場合は、カメラＣＰＵ１１３は上記レンズ情報を取得してステップＳ１０４へ移る。なお、レンズユニット１０１のレンズＣＰＵ１１５は、当該レンズの焦点位置、射出瞳距離等のレンズ情報や、ズーム位置に基づいて生成したズーム位置情報をカメラＣＰＵ１１３の要求に応じて通知する。
【００３８】
一方、ステップＳ１０２において、レンズ情報を取得できなかった場合にはステップＳ１１５に進む。レンズ情報を取得できない場合としては、例えば、装着されたレンズユニットがレンズシフト量の情報を持たないシフトレンズや、マウントアダプタを介してマニュアルレンズをつけた時などがある。なお、不十分な情報しか得られない場合にもステップＳ１１５に進む。ステップＳ１１５では、表示装置１５１上に電子先幕の走査パターンの補正（キャリブレーション）を推奨する表示及びカメラでの撮影動作禁止を意図する表示を行う。次のステップＳ１１６ではスイッチユニット１１２内の電子先幕の走査パターンの補正を指示するＳＷ（キャリブレーションＳＷ）が押されたかを判断する。押された場合には、ステップＳ１１７において電子先幕の走査パターンの算出（キャリブレーション）を実行する。
【００３９】
この電子先幕の走査パターンの算出は、電子シャッターとメカシャッターを走査させたときの輝度差を比較することにより行うことができ、例えば、特許文献１に記載された技術を利用して算出することが可能である。走査パターンの算出が終了すると、ステップＳ１１８において電子先幕の走査パターンの補正を推奨する表示及びカメラでの撮影動作禁止を意図する表示を終了し、ステップＳ１０４に移る。また、ステップＳ１１６においてキャリブレーションＳＷがＯＮとならない場合は、ステップＳ１１９を介してステップＳ１１６に戻り、撮影禁止表示を保持し続ける。
【００４０】
ステップＳ１０４では、スイッチユニット１１２のレリーズ釦のスイッチＳＷ１がＯＮされるまで待機し、スイッチＳＷ１がＯＮとなるとステップＳ１０５に進む。
【００４１】
ステップＳ１０５において、不図示の測光センサからの出力とＩＳＯ感度設定等の情報により、レンズの絞りを決定する。次に、ステップＳ１０６で焦点調節制御（ＡＦ）及び露出制御（ＡＥ）を実行し、撮影レンズ１１４のフォーカス位置、絞り１１８及びＩＳＯ感度設定を行う。次のステップＳ１０７では、ステップＳ１０２においてレンズ情報が取得できている場合はステップＳ１２０に移り、レンズ情報が取得できていない場合はステップＳ１２１に移る。ステップＳ１２０では、取得したレンズ情報から、焦点距離、射出瞳距離、ズーム位置、絞り値、フォーカス位置等に基づいて、走査パターン保持部１５０に保持された電子先幕の走査パターンの中から、走査パターンを選択する。ここで、カメラＣＰＵ１１３は、垂直駆動変調回路１０８によるリセット走査を設定を、例えば、図５（ｂ）の走査曲線１１'のように変更する。上述したように、走査曲線１１'は、焦点距離が短く、射出瞳距離が短いレンズの場合に適したものである。走査曲線１１'は、メカ後幕３の走行曲線１２とほぼ等しい動作を示す走査曲線１１に対して、電子先幕のリセット走査の開始タイミングを遅らせると共に、走査終了タイミングを早めたものである。
【００４２】
一方、ステップＳ１０２においてレンズ情報が取得できていないと判断した場合には（ステップＳ１０７でＮＯ）ステップＳ１２１に進み、電子先幕の走査パターンとして、ステップＳ１１７において算出された走査パターンを選択する。
【００４３】
その後、ステップＳ１０８において、ステップＳ１２０またはＳ１２１で選択された電子先幕の走査曲線を、使用する走査パターンとして決定する。
【００４４】
ステップＳ１０９ではスイッチＳＷ１がＯＮの状態が持続されているかを判断し、ＯＮ状態であればステップＳ１１０に進み、ＯＦＦであればステップＳ１０９に戻る。ステップＳ１１０では、スイッチＳＷ２がＯＮされたかを判断し、一方、スイッチＳＷ２がＯＮであることが検出されると、ステップＳ１１１に進む。
【００４５】
ステップＳ１１１では、ステップＳ１０５で決定された絞りとなるように絞り１１８を制御し、ミラー１０２をアップ（撮影光路から退避）する。そして、ステップＳ１１２において、ステップＳ１０８で決定された走査パターンによる電子先幕の駆動を開始する。すなわち、カメラＣＰＵ１１３は、走査パターン保持部１５０に保持された走査パターンの中から決定された走査パターンまたはキャリブーションにより算出された走査パターンに従ってリセット走査を実行するべく、垂直駆動変調回路１０８を制御する。そして、ステップＳ１１３においてメカ後幕３を駆動制御して、撮像素子１０４を順次遮光する。
【００４６】
例えば、レンズユニット１０１の撮影レンズ１１４が、焦点距離が短く、射出瞳距離が短いレンズの場合、図５（ｂ）の走査曲線１１'が選択され、この走査パターンに従った電子先幕の駆動（リセット走査）が実行される。また、メカ後幕３については走行曲線１２に従った幕走行が実行される。こうして、撮像素子１０４上で電荷蓄積動作が順次行われ、撮影動作が完了する。
【００４７】
最後に、ステップＳ１１４において、ミラー１０２のダウンとメカシャッター１０５のシャッターチャージを行い、ステップＳ１２２において撮像素子１０４から電荷信号を読み出して処理することにより画像を取得する。以上の処理により一連の撮像シーケンスが終了し、ステップＳ１０４に戻る。
【００４８】
上記の通り本実施の形態によれば、電子先幕及びメカ後幕を用いて撮影を行う場合に、露光ムラのある撮影を警告により回避または、装着されたレンズに応じて電子先幕の走査パターンを変更することができる。これにより、各画素間で露光ムラの低減された画像を撮影することが可能となる。
【００４９】
また、本実施の形態においては、図６のステップＳ１０２においてレンズ情報が取得できない場合に電子先幕の走査曲線の補正を促す表示とカメラでの撮像動作を禁止する表示を併用している。しかしながら、本発明はこれに限るものではなく、電子先幕の走査曲線の補正を行う、またはカメラの撮像動作を禁止する、のどちらか一方の動作のみを行ってもよい。また、上記した動作に限らず、レンズ情報が取得できなかった時の撮像装置の動作として、メニュー画面などで、このまま撮影を行えば露出ムラが出ることをユーザーに報知した上で撮影を可能にするような設定ができるようにしてもよい。
【００５０】
また、上述した処理においては、ステップＳ１１６でキャリブレーションＳＷがＯＮされない場合に、撮影を禁止するように制御したが、本発明はこれに限るものではない。例えば、所定時間以上キャリブレーションＳＷがＯＮされない場合に、電子先幕の走査パターンとして、図５（ａ）の走査パターン１１を選択し、画像の上下で露光ムラが生じる可能性があることを表示装置１５１に警告表示するようにしても良い。
【図面の簡単な説明】
【００５１】
【図１】本発明の実施の形態における撮像装置の構成を示すブロック図である。
【図２】本発明の実施の形態における撮像素子及びシャッターを被写体側から見た正面図である。
【図３】本発明の実施の形態にかかる光学ユニットとシャッターの位置関係に伴う電荷蓄積領域の変化を説明する図である。
【図４】本発明の実施の形態にかかる光学ユニットとシャッターの位置関係に伴う電荷蓄積領域の変化を説明する図である。
【図５】本発明の実施の形態にかかるシャッターの動作と電荷蓄積時間との関係を示す概念図である。
【図６】本発明の実施の形態にかかる撮像処理を示すフローチャートである。
【符号の説明】
【００５２】
１００  カメラ本体
１０１  レンズユニット
１０２  ミラー
１０３  ファインダ光学系
１０４  撮像素子
１０５  メカシャッター
１０６  シャッター駆動回路
１０７  パルス発生回路
１０８  垂直駆動変調回路
１０９  信号処理回路
１１０  画像表示回路
１１１  画像記録回路
１１２  スイッチユニット
１１３  カメラＣＰＵ
１１４  撮影レンズ
１１５  レンズＣＰＵ
１１６  レンズ駆動回路
１１７  絞り駆動回路
１１８  絞り
１２０、１２１  通信接点
１５０  走査パターン保持部
１５１  表示装置
【図１】
2008294753.tif 000003
【図２】
2008294753.tif 000004
【図３】
2008294753.tif 000005
【図４】
2008294753.tif 000006
【図５】
2008294753.tif 000007
【図６】
2008294753.tif 000008